(57)【要約】【課題】複数点入力可能な５線式のタッチパネルを提供する。【解決手段】第１の基板上に形成された上部導電膜を有する上部電極基板と、第２の基板上に形成された下部導電膜を有する下部電極基板と、下部導電膜おいて電位分布を生じさせるために下部導電膜の四辺の端部に各々設けられた４つの電極を有し、上部導電膜と下部導電膜とは対向して設けられたタッチパネルにおいて、上部導電膜は、縦方向に３分割以上、かつ、横方向に３分割以上に分割された複数の導電領域を有し、上部電極基板の四辺のうちいずれの辺とも接していない導電領域は、四辺のうち一辺に延びる上部導電膜からなる引出部を有しており、下部導電膜と上部導電膜との複数の接触位置における各々の座標位置を検出することを特徴とするタッチパネルを提供することにより上記課題を解決する。【選択図】  図９
2010256998.tif 000002
【特許請求の範囲】
【請求項１】
第１の基板上に形成された上部導電膜を有する上部電極基板と、
第２の基板上に形成された下部導電膜を有する下部電極基板と、
前記下部導電膜おいて電位分布を生じさせるために前記下部導電膜の四辺の端部に各々設けられた４つの電極と、
を有し、前記上部導電膜と前記下部導電膜とは対向して設けられたタッチパネルにおいて、
前記上部導電膜は、縦方向に３分割以上、かつ、横方向に３分割以上に分割された複数の導電領域を有し、
前記上部電極基板の四辺のうちいずれの辺とも接していない導電領域は、前記四辺のうち一辺に延びる上部導電膜からなる引出部を有しており、
前記下部導電膜と前記上部導電膜との複数の接触位置における各々の座標位置を検出することを特徴とするタッチパネル。
【請求項２】
前記上部電極膜における縦方向、又は、横方向における導電領域の分割数のうち数の少ない方向の分割数が偶数であることを特徴とする請求項１に記載のタッチパネル。
【請求項３】
前記上部電極膜における縦方向、又は、横方向における導電領域の分割数のうち数の少ない方向の分割数が４以上であって、前記分割された導電領域のうち、分割数の多い方向に沿った辺には隣接していない導電領域は、前記分割数の多い方向に沿った辺に延びる前記引出部が設けられていることを特徴とする請求項１または２に記載のタッチパネル。
【請求項４】
前記分割数は５以上であって、分割数の多い方向に沿った辺には隣接していない導電領域は、長い引出部を有する導電領域と、前記長い引出部よりも引出部が短く形成された短い引出部を有する導電領域とを有し、
前記短い引出部の幅は、前記長い引出部の幅よりも狭いことを特徴とする請求項３に記載のタッチパネル。
【請求項５】
第１の基板上に形成された上部導電膜を有する上部電極基板と、
第２の基板上に形成された下部導電膜を有する下部電極基板と、
前記下部導電膜おいて電位分布を生じさせるために前記下部導電膜の四辺の端部に各々設けられた４つの電極と、
を有し、前記上部導電膜と前記下部導電膜とは対向して設けられたタッチパネルにおいて、
前記上部導電膜は、縦方向又は、横方向に２分割以上に分割された導体領域を有し、前記複数の導体領域は、前記上部電極基板の四辺のうちいずれかの一辺と接する導体領域と、前記一辺に接していない導体領域からなるものであって、
前記一辺に接していない導体領域は、前記一辺に延びる上部導電膜からなる引出部を有しており、
前記下部導電膜と前記上部導電膜との複数の接触位置における各々の座標位置を検出することを特徴とするタッチパネル。
【請求項６】
前記上部電極膜における縦方向、又は、横方向における導電領域の分割数は同じであって、一方を分割数の少ない方向とし、他方を分割数の多い方向としたものであることを特徴とする請求項３から５のいずれかに記載のタッチパネル。
【請求項７】
前記上部導電膜の四辺のうち一辺と接していない導電領域において、１つの前記導電領域に接続される前記引出部を２以上設けたことを特徴とする請求項１から６のいずれかに記載のタッチパネル。
【請求項８】
前記導電領域は、長方形状又は正方形状であって、長辺又は一辺の長さが２５ｍｍ以下であることを特徴とする請求項１から７のいずれかに記載のタッチパネル。
【請求項９】
上部導電膜は透明導電膜であることを特徴とする請求項１から８のいずれかに記載のタッチパネル。
【請求項１０】
下部導電膜は透明導電膜であることを特徴とする請求項１から９のいずれかに記載のタッチパネル。
【請求項１１】
前記上部電極基板は、前記上部引出電極がフレキシブル基板と接続されていることを特徴とする請求項１から１０のいずれかに記載のタッチパネル。
【請求項１２】
前記上部電極基板は、前記上部引出電極がフレキシブル基板と接続されており、
前記下部電極基板には、前記４つの電極と接続される下部引出電極が形成されており、前記下部引出電極の端子と前記フレキシブル基板とは異方性導電材料により熱圧着で接続されていることを特徴とする請求項１から１０のいずれかに記載のタッチパネル。
【請求項１３】
前記上部電極基板において、前記上部引出電極とフレキシブル基板とは異方性導電材料により熱圧着で接続されており、
前記下部電極基板には、前記４つの電極と接続される下部引出電極が形成されており、前記下部引出電極の端子と前記フレキシブル基板とは異方性導電材料により熱圧着で接続されていることを特徴とする請求項１から１０のいずれかに記載のタッチパネル。
【発明の詳細な説明】
【技術分野】
【０００１】
本発明は、タッチパネルに関する。
【背景技術】
【０００２】
タッチパネルは、ディスプレイに直接入力をすることが可能な入力デバイスであり、ディスプレイの前面に設置して使用される。このタッチパネルは、ディスプレイにより視覚的にとらえた情報に基づき、直接入力することができることから、様々な用途において普及している。
【０００３】
このようなタッチパネルとしては、抵抗膜方式が広く知られている。抵抗膜方式のタッチパネルは、透明導電膜が形成された上部電極基板及び下部電極基板において、各々の透明導電膜同士が対向するように設置し、上部電極基板の一点に力を加えることにより各々の透明導電膜同士が接触し、力の加えられた位置の位置検出を行うことができるものである。
【０００４】
抵抗膜方式のタッチパネルは、４線式と５線式とに大別することができる。４線式は、上部電極基板又は下部電極基板のどちらか一方にＸ軸の電極が設けられており、他方にＹ軸の電極が設けられている。一方、５線式は、下部電極基板にＸ軸の電極及びＹ軸の電極がともに設けられており、上部電極基板は、電圧を検出するためのプローブとして機能するものである（例えば、特許文献１、２）。
【０００５】
具体的に、図１及び図２に基づき５線式のタッチパネルについて説明する。図１は、５線式のタッチパネルの斜視図であり、図２は、５線式のタッチパネルの断面の概要図である。
【０００６】
５線式のタッチパネル２００は、上部電極基板となる一方の面に透明導電膜２３０の形成されたフィルム２１０と、下部電極基板となる一方の面に透明導電膜２４０の形成されたガラス２２０からなり、透明導電膜２３０及び透明導電膜２４０が対向するようにスペーサ２５０を介し設置されている。５線式のタッチパネル２００と不図示のホストコンピュータとはケーブル２６０により電気的に接続されている。
【０００７】
このような構成の５線式のタッチパネル２００では、図３（ａ）に示すように、透明導電膜２４０の端部の４辺に設けられた電極２４１、２４２、２４３、２４４により、Ｘ軸方向、Ｙ軸方向に交互に電圧を印加し、透明導電膜２３０と透明導電膜２４０とが、接触位置Ａ点において接触することにより、図３（ｂ）に示すように、透明導電膜２３０を介し電位Ｖａを検出し、Ｘ軸方向及びＹ軸方向の各々の座標位置を検出する方式である。
【０００８】
ところで、上述した５線式のタッチパネルでは、一点における接触位置は検出することは可能であるが、複数点が同時に接触した場合には位置検出をすることができない。
【０００９】
即ち、図４（ａ）に示すように、透明導電膜２４０の４辺に設けられた電極２４１、２４２、２４３、２４４により、Ｘ軸方向、Ｙ軸方向に交互に電圧を印加した場合において、透明導電膜２３０と透明導電膜２４０とが接触位置Ａ点及びＢ点の２点において接触すると、Ａ点とＢ点の間の中間点における押下されていない一点の座標位置が検出されてしまう。これは、図４（ｂ）に示すように、電位検出による位置検出方法であることから、接触位置Ａ点及びＢ点の二点で接触した場合であっても、透明導電膜２３０を介し検出される電位はＶｃの１つだけであるため、接触位置が一点であるものと判断してしまうためである。
【先行技術文献】
【特許文献】
【００１０】
【特許文献１】特開２００４−２７２７２２号公報
【特許文献２】特開２００８−２９３１２９号公報
【発明の概要】
【発明が解決しようとする課題】
【００１１】
本発明は、上記に鑑みてなされたものであり、複数の接触位置において同時に接触した場合においても、各々の接触位置を検出することができるとともに、接触位置が移動した場合においても、位置検出が可能なタッチパネルを提供することを目的とするものである。
【課題を解決するための手段】
【００１２】
本発明は、第１の基板上に形成された上部導電膜を有する上部電極基板と、第２の基板上に形成された下部導電膜を有する下部電極基板と、前記下部導電膜おいて電位分布を生じさせるために前記下部導電膜の四辺の端部に各々設けられた４つの電極と、を有し、前記上部導電膜と前記下部導電膜とは対向して設けられたタッチパネルにおいて、前記上部導電膜は、縦方向に３分割以上、かつ、横方向に３分割以上に分割された複数の導電領域を有し、前記上部電極基板の四辺のうちいずれの辺とも接していない導電領域は、前記四辺のうち一辺に延びる上部導電膜からなる引出部を有しており、前記下部導電膜と前記上部導電膜との複数の接触位置における各々の座標位置を検出することを特徴とする。
【００１３】
また、本発明は、前記上部電極膜における縦方向、又は、横方向における導電領域の分割数のうち数の少ない方向の分割数が偶数であることを特徴とする。
【００１４】
また、本発明は、前記上部電極膜における縦方向、又は、横方向における導電領域の分割数のうち数の少ない方向の分割数が４以上であって、前記分割された導電領域のうち、分割数の多い方向に沿った辺には隣接していない導電領域は、前記分割数の多い方向に沿った辺に延びる前記引出部が設けられていることを特徴とする。
【００１５】
また、本発明は、前記分割数は５以上であって、分割数の多い方向に沿った辺には隣接していない導電領域は、長い引出部を有する導電領域と、前記長い引出部よりも引出部が短く形成された短い引出部を有する導電領域とを有し、前記短い引出部の幅は、前記長い引出部の幅よりも狭いことを特徴とする。
【００１６】
また、本発明は、第１の基板上に形成された上部導電膜を有する上部電極基板と、第２の基板上に形成された下部導電膜を有する下部電極基板と、前記下部導電膜おいて電位分布を生じさせるために前記下部導電膜の四辺の端部に各々設けられた４つの電極と、を有し、前記上部導電膜と前記下部導電膜とは対向して設けられたタッチパネルにおいて、前記上部導電膜は、縦方向又は、横方向に２分割以上に分割された導体領域を有し、前記複数の導体領域は、前記上部電極基板の四辺のうちいずれかの一辺と接する導体領域と、前記一辺に接していない導体領域からなるものであって、前記一辺に接していない導体領域は、前記一辺に延びる上部導電膜からなる引出部を有しており、前記下部導電膜と前記上部導電膜との複数の接触位置における各々の座標位置を検出することを特徴とする。
【００１７】
また、本発明は、前記上部電極膜における縦方向、又は、横方向における導電領域の分割数は同じであって、一方を分割数の少ない方向とし、他方を分割数の多い方向としたものであることを特徴とする。
【００１８】
また、本発明は、前記上部導電膜の四辺のうち一辺と接していない導電領域において、１つの前記導電領域に接続される前記引出部を２以上設けたことを特徴とする。
【００１９】
また、本発明は、前記導電領域は、長方形状又は正方形状であって、長辺又は一辺の長さが２５ｍｍ以下であることを特徴とする。
【００２０】
また、本発明は、上部導電膜は透明導電膜であることを特徴とする。
【００２１】
また、本発明は、下部導電膜は透明導電膜であることを特徴とする。
【００２２】
また、本発明は、前記上部電極基板は、前記上部引出電極がフレキシブル基板と接続されていることを特徴とする。
【００２３】
また、本発明は、前記上部電極基板は、前記上部引出電極がフレキシブル基板と接続されており、前記下部電極基板には、前記４つの電極と接続される下部引出電極が形成されており、前記下部引出電極の端子と前記フレキシブル基板とは異方性導電材料により熱圧着で接続されていることを特徴とする。
【００２４】
また、本発明は、前記上部電極基板において、前記上部引出電極とフレキシブル基板とは異方性導電材料により熱圧着で接続されており、前記下部電極基板には、前記４つの電極と接続される下部引出電極が形成されており、前記下部引出電極の端子と前記フレキシブル基板とは異方性導電材料により熱圧着で接続されていることを特徴とする。
【発明の効果】
【００２５】
本発明によれば、複数の接触位置において同時に接触した場合においても、各々の接触位置を検出することができるとともに、接触位置が移動した場合においても、位置検出が可能なタッチパネルを提供することができる。
【図面の簡単な説明】
【００２６】
【図１】従来の５線式のタッチパネルの斜視図
【図２】従来の５線式のタッチパネルの断面概要図
【図３】従来の５線式のタッチパネルにおける座標検出方法の説明図（１）
【図４】従来の５線式のタッチパネルにおける座標検出方法の説明図（２）
【図５】第１の実施の形態におけるタッチパネルの上部電極基板における構造図
【図６】第１の実施の形態におけるタッチパネルの下部電極基板における構造図
【図７】第１の実施の形態におけるタッチパネルの断面図
【図８】第１の実施の形態におけるタッチパネルの説明図
【図９】第１の実施の形態におけるタッチパネルの上部電極基板の導電領域の説明図
【図１０】第２の実施の形態におけるタッチパネルの上部電極基板の導電領域の説明図
【図１１】第３の実施の形態におけるタッチパネルの上部電極基板の導電領域の説明図（１）
【図１２】第３の実施の形態におけるタッチパネルの上部電極基板の導電領域の説明図（２）
【図１３】第４の実施の形態におけるタッチパネルの上部電極基板における構造図
【図１４】第４の実施の形態におけるタッチパネルの下部電極基板における構造図
【図１５】第４の実施の形態におけるタッチパネルの断面図
【発明を実施するための形態】
【００２７】
本発明を実施するための形態について、以下に説明する。
【００２８】
〔第１の実施の形態〕
第１の実施の形態におけるタッチパネルについて説明する。図５は本実施の形態におけるタッチパネルの上部電極基板における構造図であり、図６は本実施の形態におけるタッチパネルの下部電極基板における構造図であり、図７は本実施の形態におけるタッチパネルの断面図であり、図８は本実施の形態におけるタッチパネルの説明図である。
【００２９】
本実施の形態におけるタッチパネルは、フィルム１１の一方の面に透明導電膜１２が形成された略長方形状の上部電極基板１０と、上部電極基板１０と略同じ形状のガラス基板２１の一方の面に透明導電膜２２が形成された下部電極基板２０により構成される。
【００３０】
上部電極基板１０と下部電極基板２０とは、上部電極基板１０における透明導電膜１２と下部電極基板２０における透明導電膜２２とが対向するように、スペーサ３１等を介し、接着剤または両面テープにより接合されている。
【００３１】
上部電極基板１０における透明導電膜１２は、短手方向である縦方向に４分割、長手方向である横方向に８分割されており全体が３２分割されている。透明導電膜１２を各々の導電領域の分割は、導電領域となる領域間の透明導電膜１２を除去することにより行われる。これにより、分割された導電領域間では電気的に絶縁することができる。各々の分割された透明導電膜１２は、上部電極基板１０の短手方向の両端に設けられた引出電極部１３における各々の引出電極と接続されており、上部電極基板１０の周囲に配線され、上部電極基板１０の長手方向の一方の端部においてフレキシブル基板１４と接続されている。
【００３２】
また、下部電極基板２０は、図８に示すように下部電極基板２０を構成する４辺の端部において、透明導電膜２２上に４つの電極２３、２４、２５、２６が設けられており、これら４つの電極２３、２４、２５、２６は引出線により、下部電極基板２０の周囲より引出され、図６に示すように、下部電極基板２０の長手方向の一方の端部においてフレキシブル基板２７と接続されている。
【００３３】
フレキシブル基板１４とフレキシブル基板２７はともに不図示の制御回路に接続されており、更に不図示のホストコンピュータに接続されている。尚、透明導電膜１２及び透明導電膜２２を構成する材料としては、ＩＴＯ（Indium Tin Oxide）、ＺｎＯ（酸化亜鉛）にＡｌまたはＧａ等が添加された材料、ＳｎＯ２（酸化スズ）にＳｂ等が添加された材料等が挙げられる。
【００３４】
また、フィルム１１は、ＰＥＴ（ポリエチレンテレフタレート：polyethylene
terephthalate）、ＰＣ（ポリカーボネート：Polycarbonate）及び、可視領域において透明の樹脂材料が挙げられる。更に、ガラス基板２１に代えて、樹脂基板を用いてもよい。
【００３５】
本実施の形態におけるタッチパネルは、上部電極基板１０を指等により押すことにより、上部電極基板１０における透明導電膜１２と、下部電極基板２０における透明導電膜２２とが接触し、接触した位置における電圧を検知することにより、上部電極基板１０と下部電極基板２０との接触位置、即ち、上部電極基板１０が指等により押された位置が特定される。具体的には、上部電極基板１０において、分割された透明導電膜１２の各々について時分割による走査がされており、接触したタイミングにより接触位置が含まれる導電領域を特定することができる。尚、下部電極基板２０における透明導電膜２２上の４辺に設けられた電極２３、２４、２５、２６により、Ｘ軸方向、Ｙ軸方向に交互に電圧が印加されている。
【００３６】
このように、上部電極基板１０において透明導電膜１２を分割し導電領域を形成することにより、上部電極基板１０と下部電極基板２０とが接触した接触位置が複数であっても、分割された透明導電膜１２の導電領域ごとに接触位置を特定することができるため、各々の接触位置を独立して検出することが可能である。
【００３７】
即ち、図８に示すように、上部電極基板１０における透明導電膜１２と下部電極基板２０における透明導電膜２２との接触位置が、矢印Ａ、Ｂ、Ｃ、Ｄ、Ｅに示すように５つの場合であっても、各々の接触位置は、分割された透明導電膜１２の領域が異なるため、各々独立して接触位置が検出することが可能なのである。具体的には、上部電極基板１０と下部電極基板２０との接触位置が矢印Ａに示す位置である場合、透明導電膜１２の導電領域１２ａにおいて接触しており、接触位置が矢印Ｂに示す位置である場合、透明導電膜１２の導電領域１２ｂにおいて接触しており、接触位置が矢印Ｃに示す位置である場合、透明導電膜１２の導電領域１２ｃにおいて接触しており、接触位置が矢印Ｄに示す位置である場合、透明導電膜１２の導電領域１２ｄにおいて接触しており、接触位置が矢印Ｅに示す位置である場合、透明導電膜１２の導電領域１２ｅにおいて接触しているが、透明導電膜１２の導電領域１２ａ、１２ｂ、１２ｃ、１２ｄ、１２ｅは相互に絶縁された異なる領域であることから、各々を独立して検出することができる。よって、上部電極基板１０と下部電極基板２０との接触位置が５つの場合であっても、各々の接触位置を特定することが可能である。
【００３８】
以上より、透明導電膜１２と透明導電膜２２との接触位置が複数であっても、接触した導電領域を特定することができるとともに、透明導電膜２２における電位分布を検出することにより、より正確に座標位置も検出することが可能である。また、透明導電膜１２と透明導電膜２２との接触位置を移動させた場合においても、接触位置が移動したことを認識することができるとともに、透明導電膜２２における電位分布を検出することにより、移動した接触位置の位置座標を検出することも可能である。
【００３９】
次に、上部電極基板１０における透明導電膜１２の導電領域の分割について説明する。本実施の形態では、図９（ａ）に示すように、透明導電膜１２は、短手方向である縦方向に４分割、長手方向である横方向に８分割されており、合計で３２分割されている。これら分割された領域は、上側の２段と下側の２段に分けられている。図５に示すように、上側の２段は上端となる短手方向（縦方向）の一方の端部において、引出電極部１３における各々の引出電極と接続されており、下側の２段は下端となる短手方向（縦方向）の他方の端部において、引出電極部１３における各々の引出電極と接続されている。尚、本実施の形態におけるタッチパネルは、各々の導電領域が長方形状又は正方形状に形成されており、主に指により操作するものであるため、複数の導電領域うち、最も大きな導電領域における長辺又は一辺の長さは、２５ｍｍ以下であることが好ましく、より好ましくは２０ｍｍ以下である。これは、指の太さに基づくものであり、指先と指先とにより複数の接触位置において接触する場合においても、一辺の長さが指先と指先との間隔よりも短ければ、各々の接触位置を独立して検出することが可能であるからである。このため、人間の指先と指先との間隔及び快適となる操作性等を基準として、導電領域の一辺の長さの範囲を定めることができる。また、あまり小さいと後述する引出部の領域が増加し、機能上支障をきたすため、上記観点を踏まえた場合、複数の導電領域うち、最も小さな導電領域における短辺又は一辺の長さは、５ｍｍ以上が好ましく、より好ましくは７ｍｍ以上である。
【００４０】
尚、透明導電膜１２において各々の導電領域は、各々の導電領域の周辺部に沿って透明導電膜１２を除去することにより形成する。これにより、隣接する導電領域との間において絶縁性を保つことが可能である。
【００４１】
透明導電膜１２を除去する方法としては、透明導電膜１２が除去される領域にレーザ光を照射し、レーザ光の照射された部分の透明導電膜１２を熱又はアブレーションにより除去する方法、透明導電膜１２上にフォトレジストを塗布し、露光装置により露光、現像を行うことにより導電領域となる領域上にレジストパターンを形成し、ドライエッチング又はウエットエッジングを行うことにより、レジストパターンの形成されていない領域の透明導電膜１２を除去する方法、更には、透明導電膜１２が除去される領域上にエッチングペーストを印刷等し除去する方法等が挙げられる。好ましくは、レーザ光の照射により透明導電膜１２を除去する方法が好ましい。
【００４２】
尚、導電領域を形成するために除去される透明導電膜１２の幅は、１ｍｍ以下であることが好ましい。タッチパネルにおいては、形成される導電領域の幅が広くなると、検出不能領域が多くなってしまい、タッチパネルとしての機能を十分に発揮することができない。よって、タッチパネルに接触が想定されるものが指またはペン等であり、ペン等の先端は半径０．８ｍｍ程度であることから、透明導電膜１２が除去される領域の幅が１ｍｍ以下であれば、タッチパネルとしての機能に支障をきたさないものと考えられるからである。本実施の形態では、よりタッチパネルの視認性を高めるとともに、機能を高めるため透明導電膜１２が除去される領域の幅は約１００μｍで形成されている。
【００４３】
本実施の形態におけるタッチパネルでは、上部電極基板１０における透明導電膜１２において、導電領域１２１と導電領域１２２からなる導電領域のパターンを反転させたパターンが上側にも形成されており、縦方向に並ぶ４つの導電領域のパターンと同様のパターンが横方向に８列形成されている。
【００４４】
図９（ａ）において、破線で囲まれた領域の拡大図を図９（ｂ）に示す。図９（ｂ）に示されるように、透明導電膜１２の下側において２つに分割されたうちの一方を導電領域１２１、他方を導電領域１２２とした場合、他方の導電領域１２２は、上部電極基板１０の長手方向に沿った四辺の１つの辺と接しており、一方の導電領域１２１は、上部電極基板１０の四辺のうち長手方向に沿った辺とは接していない。このため、一方の導電領域１２１の領域部１２１ａから、上部電極基板１０の長手方向に沿った辺の端まで延びる引出部１２１ｂを形成し、更に、この辺の端に接する接続部１２１ｃを形成する。尚、この引出部１２１ｂは、上部電極基板１０の長手方向に沿った辺と接する２つの導電領域の間に形成されるものである。即ち、導電領域１２２と、導電領域１２２に隣接する辺と接する導電領域の間に形成されるものである。よって、本来は導電領域１２２となる領域に形成されるものである。このため、接触位置の誤認識を防ぐためにも、引出部１２１ｂはできるだけ細く形成することが好ましい。
【００４５】
これにより、一方の導電領域１２１は、接続部１２１ｃにおいて引出電極１３１と接続することができ、他方の導電領域１２２は、導電領域１２２における上部電極基板１０の辺の端部の近傍において引出電極１３２と接続することができる。
【００４６】
導電領域１２１の接続部１２１ｃと引出電極１３１とは、接続部１２１ｃ上に銀ペーストを形成し接続する。同様に、導電領域１２２と引出電極１３２とは、上部電極基板１０の辺の端部の導電領域１２２上に銀ペーストを形成し接続する。尚、引出電極１３１及び１３２が複数集まることにより、図５に示す引出電極部１３が形成される。
【００４７】
〔第２の実施の形態〕
第２の実施の形態は、第１の実施の形態における導電領域のパターンとは異なるパターンにより透明導電膜１２を分割した構成のものである。
【００４８】
具体的には、上部電極基板１０の下側半分の領域の一部において、図１０に示すように、２つに分割された透明導電膜１２の一方を導電領域１２３、他方を導電領域１２４とした場合、他方の導電領域１２４は、上部電極基板１０の長手方向に沿った四辺の１つの辺と接しており、一方の導電領域１２３は、上部電極基板１０の四辺のうち長手方向に沿った辺とは接していない。このため、一方の導電領域１２３の領域部１２３ａから、上部電極基板１０の四辺のうち長手方向に沿った辺の端まで延びる引出部１２３ｂ及び１２３ｃを形成する。更に、この引出部１２３ｂ及び１２３ｃの上部電極基板１０の辺の端部には接続部１２３ｄ及び１２３ｅを形成する。
【００４９】
これにより、一方の導電領域１２３は、接続部１２３ｄ及び１２３ｅにおいて引出電極１３３と接続することができる。また、他方の導電領域１２４は、導電領域１２４における上部電極基板１０の辺の端部の近傍において引出電極１３４と接続することができる。尚、引出電極１３３及び１３４が複数集まることにより、図５に示す引出電極部１３が形成される。
【００５０】
本実施の形態では、上部電極基板１０の四辺のうち長手方向に沿った辺と接していない導電領域では、引出部を形成する必要があるが、引出部はできるだけ細く形成することが好ましい。しかしながら、引出部を細くすると領域部と接続部の間の抵抗値が高くなってしまう。本実施の形態では、２つの引出部１２３ｂ及び１２３ｃを設けることにより、領域部から接続部までの抵抗値を低くすることが可能となる。
【００５１】
尚、上記以外の内容については第１の実施の形態と同様である。
【００５２】
〔第３の実施の形態〕
次に、第３の実施の形態について説明する。本実施の形態は、分割される導電領域を増やした構成、及び、引出電極を上部電極基板１０の四辺のうち一辺の端側に形成した構成のものである。
【００５３】
具体的には、図１１に示すように、上部電極基板１０において、透明導電膜１２の一部を３つに分割し、導電領域２２１、導電領域２２２、導電領域２２３を形成する場合について説明する。この場合において、導電領域２２１、導電領域２２２、導電領域２２３と接続される接続電極を２３１、２３２、２３３は、導電領域２２３の設けられている側に引出される。このため、導電領域２２１の領域部２２１ａから、導電領域２２３側の端部まで延びる引出部２２１ｂを形成し、更に、引出部２２１ｂの導電領域２２３側の端部には接続部２２１ｃを形成する。また、導電領域２２２の領域部２２２ａから、導電領域２２３側の端部まで延びる引出部２２２ｂを形成し、更に、引出部２２２ｂの導電領域２２３側の端部には接続部２２２ｃを形成する。
【００５４】
これにより、導電領域２２１は、接続部２２１ｃにおいて引出電極２３１と接続することができ、導電領域２２２は、接続部２２２ｃにおいて引出電極２３２と接続することができ、導電領域２２３は、導電領域２２３の端部において引出電極２３３と接続することができる。ここで、導電領域２２１における領域部２２１ａから接続部２２１ｃまでの抵抗値と、導電領域２２２における領域部２２２ａから接続部２２２ｃまでの抵抗値とをできるだけ近づけるため、引出部２２１ｂの幅は引出部２２２ｂの幅よりも広く形成されていることが好ましい。尚、引出電極２３１、２３２及び２３３が複数集まることにより、図５に示す引出電極部１３が形成される。
【００５５】
上記の構成のパターンを反転させたパターンを上部に設けることにより、上部電極基板１０の短手方向における導電領域の分割数が６とすることができ、これらのパターンを長手方向に配列することにより、導電領域の多いタッチパネルを得ることができる。
【００５６】
更に、図１２に示すように、上部電極基板１０において、透明導電膜１２の一部を４つに分割し、導電領域２２４、導電領域２２５、導電領域２２６、導電領域２２７を形成する場合に付いて説明する。この場合において、導電領域２２４、導電領域２２５、導電領域２２６、導電領域２２７と接続される接続電極を２３４、２３５、２３６、２２７は、導電領域２２７の設けられている側に引出される。このため、導電領域２２４の領域部２２４ａから、導電領域２２７側の端部まで延びる引出部２２４ｂを形成し、更に、引出部２２４ｂの導電領域２２７側の端部には接続部２２４ｃを形成する。また、導電領域２２５の領域部２２５ａから、導電領域２２７側の端部まで延びる引出部２２５ｂを形成し、更に、引出部２２５ｂの導電領域２２７側の端部には接続部２２５ｃを形成する。また、導電領域２２６の領域部２２６ａから、導電領域２２７側の端部まで延びる引出部２２６ｂを形成し、更に、引出部２２６ｂの導電領域２２７側の端部には接続部２２６ｃを形成する。
【００５７】
これにより、導電領域２２４は、接続部２２４ｃにおいて引出電極２３４と接続することができ、導電領域２２５は、接続部２２５ｃにおいて引出電極２３５と接続することができ、導電領域２２６は、接続部２２６ｃにおいて引出電極２３６と接続することができ、導電領域２２７は、導電領域２２７の端部において引出電極２３７と接続することができる。ここで、導電領域２２４における領域部２２４ａから接続部２２４ｃまでの抵抗値と、導電領域２２５における領域部２２５ａから接続部２２５ｃまでの抵抗値と、導電領域２２６における領域部２２６ａから接続部２２６ｃまでの抵抗値とをできるだけ近い値となるようにするため、引出部２２６ｂ、引出部２２５ｂ、引出部２２４ｂは、この順に幅が広くなるように形成されていることが好ましい。尚、引出電極２３４、２３５、２３６及び２３７が複数集まることにより、図５に示す引出電極部１３が形成される。
【００５８】
上記の構成のパターンを反転させたパターンを上部に設けることにより、上部電極基板１０の短手方向における導電領域の分割数が８とすることができ、これらのパターンを長手方向に配列することにより、導電領域の多いタッチパネルを得ることができる。また、更に分割数を増やした場合においても、同様の方法により対応することが可能である。
【００５９】
更に、図１２に示す構成の場合では、上部電極基板１０の短手方向（縦方向）の分割数が４の場合においては、上部電極基板１０の長手方向に沿った一方の辺に引出電極を集めることが可能である。これにより、上部電極基板１０の構造を簡素化することができ、また、上部電極基板１０の長手方向に沿った他方の辺の側に別の部材等を設けることも可能である。
【００６０】
尚、上記以外の内容については、第１の実施の形態と同様である。
【００６１】
〔第４の実施の形態〕
第４の実施の形態は、上部電極基板と下部電極基板との接合方法が第１の実施の形態と異なるものである。
【００６２】
図１３、図１４、図１５に基づき本実施の形態について説明する。本実施の形態におけるタッチパネルは、フィルム３１１の一方の面に透明導電膜３１２が形成された略長方形状の上部電極基板３１０と、上部電極基板３１０と略同じ形状のガラス基板３２１の一方の面に透明導電膜３２２が形成された下部電極基板３２０により構成される。
【００６３】
上部電極基板３１０と下部電極基板３２０とは、上部電極基板３１０における透明導電膜３１２と下部電極基板３２０における透明導電膜３２２とが対向するように、スペーサ３３１等を介し、接着剤または両面テープにより接合されている。
【００６４】
上部電極基板３１０における透明導電膜３１２は、短手方向に４分割、長手方向に８分割されており全体が３２分割されている。透明導電膜３１２における各々の導電領域の分割は、導電領域となる領域間の透明導電膜３１２を除去することにより行われる。これにより、分割された導電領域間では電気的に絶縁することができる。各々の分割された透明導電膜３１２は、上部電極基板３１０の短手方向の両端に設けられた引出電極に各々接続されており、これらの引出電極により構成される引出電極部３１３は上部電極基板３１０の周囲に配線され、上部電極基板３１０の長手方向の一方の端部においてフレキシブル基板３１４と接続されている。
【００６５】
また、下部電極基板３２０は、下部電極基板３２０を構成する４辺の端部において、透明導電膜３２２上に４つの電極が設けられており、これら４つの電極は引出線により、下部電極基板３２０の周囲より引出され、下部電極基板３２０の長手方向の一方の端部において端子部３２３が形成される。この引出電極の端子部３２３は、フレキシブル基板３１４における領域３１５において接続される。
【００６６】
具体的には、フレキシブル基板３１４と引出電極の端子部３２３とを異方性導電フィルム３２４を介し圧着することにより端子部３２３とフレキシブル基板３１４とを導電性を維持した状態で接合される。
【００６７】
尚、上部電極基板３１０の引出電極部３１３の端子とフレキシブル基板３１４との接合においても、同様に異方性導電フィルムを用いて圧着することにより接合してもよい。
【００６８】
本実施の形態では、用いられるフレキシブル基板が一枚となり、更に、このフレキシブル基板との接続に用いられるコネクタの数も減らすことができるため、低コストでタッチパネルを製造することが可能となる。
【００６９】
尚、上記以外の内容については、第１の実施の形態と同様である。また、第２の実施形態及び第３の実施形態にも適用可能である。
【００７０】
以上、本発明の実施に係る形態について説明したが、上記内容は、発明の内容を限定するものではない。
【産業上の利用可能性】
【００７１】
本発明は、５線式の抵抗膜式タッチパネルに適用することができ、各種情報処理機器のディスプレイが、５線式の抵抗膜式タッチパネルで構成される場合に有用である。この場合の情報処理機器の例としては、携帯電話、情報携帯端末（ＰＤＡ）、携帯音楽プレイヤー、携帯画像プレイヤー、携帯ブラウザ、ワンセグチューナー、電子辞書、カーナビゲーションシステム、コンピュータ、ＰＯＳ端末、在庫管理端末、ＡＴＭ、各種マルチメディア端末等がある。
【符号の説明】
【００７２】
１０    上部電極基板
１１    フィルム
１２    透明導電膜
１３    引出電極部
１４    フレキシブル基板
２０    下部電極基板
２１    ガラス
２２    透明導電膜
２３    電極
２４    電極
２５    電極
２６    電極
２７    フレキシブル基板
３１    スペーサ
１２１  導電領域
１２１ａ    領域部
１２１ｂ    引出部
１２１ｃ    接続部
１２２  導電領域
１３１  引出電極
１３２  引出電極
【図１】
2010256998.tif 000003
【図２】
2010256998.tif 000004
【図３】
2010256998.tif 000005
【図４】
2010256998.tif 000006
【図５】
2010256998.tif 000007
【図６】
2010256998.tif 000008
【図７】
2010256998.tif 000009
【図８】
2010256998.tif 000010
【図９】
2010256998.tif 000011
【図１０】
2010256998.tif 000012
【図１１】
2010256998.tif 000013
【図１２】
2010256998.tif 000014
【図１３】
2010256998.tif 000015
【図１４】
2010256998.tif 000016
【図１５】
2010256998.tif 000017